(57)【要約】【課題】本発明は、破砕・混練用ローターユニットに関する。破砕・混練用ローターを多軸にしてバケットなどに装着した場合に、その構造が複雑となり、容易にローターを交換できないことが課題である。【解決手段】回転軸２に破砕用ローターを設けた若しくは撹拌羽を植設したローター４と、このローターの軸端部にモータ回転軸を減速機を介して直結された駆動モータ５と、前記ローターの一部と前記駆動モータとを囲堯するハウジング６とで一体化されたこと破砕・混練用ローターユニット１とするものである。【選択図】図１
2009248012.tif 000002
【特許請求の範囲】
【請求項１】
回転軸に破砕用ローターを設けた若しくは撹拌羽を植設したローターと、
このローターの軸端部にモータ回転軸を減速機を介して直結された駆動モータと、
前記ローターの一部と前記駆動モータとを囲堯するハウジングとで一体化されたこと、
を特徴とする破砕・混練用ローターユニット。
【請求項２】
ハウジングの側壁には、破砕・混練用ローターユニットを併設するときに隣接して当接する箇所に、一方向の移動のみを可能にして互いに係合する係止部材が設けられていること、
を特徴とする請求項１に記載の破砕・混練用ローターユニット。
【請求項３】
バケットの内部に、
回転軸に破砕用ローターを設けたローターとこのローターの軸端部にモータ回転軸を減速機を介して直結された駆動モータと、前記ローターの一部と前記駆動モータとを囲堯するハウジングとで一体化された破砕用ローターユニットを、
一以上で着脱自在に併設して成ること
を特徴とする破砕用バケット。
【発明の詳細な説明】
【技術分野】
【０００１】
本発明は、コンクリート塊を粉砕する１軸若しくは２軸の回転ローラを備えた破砕機における破砕・混練用ローターユニットと破砕用バケットに関するものである。
【背景技術】
【０００２】
従来、コンクリート塊などの廃材を粉砕して再生処理などするために、１軸破砕機若しくは２軸破砕機を用いている。これらの破砕機においては、鉄塊や鉄筋などの破砕不可能な固形物が投入される、ローラがこの固形物を噛み込んでローラの駆動モータに急激な過負荷となって、ローラの回転数が極度に低下したり、回転パワーが大きいと急停止できずにローラの破砕歯が損傷を受けることがある。
【０００３】
前記破砕不可能な固形物が度々投入されると、その都度、ローラを正逆転させたりローラを停止させて人力で取り除いたりして、運転を再開していると、作業能率が低下する。そこで、前記固形物を噛み込んだ場合には、自動的に排出するようにした２軸回転の破砕機が知られている（特許文献１参照）。また、同様に複数の破砕ローラを一対の回転板間に同心円状に設けた破砕装置とそれと間隔調節自在にして囲む破砕体とを掘削爪付属のバケットに装着して、そのバケットをアタッチメントでアームに取付てなる作業機が知られている（特許文献２参照）。
【特許文献１】特開平０８−２０６５２３号公報
【特許文献２】特開２００３−２７８１８０号公報
【発明の開示】
【発明が解決しようとする課題】
【０００４】
しかし、従来の破砕機をバケットに有する作業機においては、設置スペースの狭い掘削爪付きのバケットに、破砕装置とこれとの間隙を調節できる破砕体とを設けるには装置が複雑となり、間隔調節作業もお湯いではない。また、前記破砕装置の駆動モータを直接連結して駆動装置を簡略化しても、駆動装置がバケット自体の構造の一部となっているので、簡単に取り外すことが出来ず、着脱自在に構成することができない。本発明に係る破砕・混練用ローターユニットと破砕用バケットは、このような課題を解決するために提案されたものである。
【課題を解決するための手段】
【０００５】
本発明に係る破砕・混練用ローターユニットの上記課題を解決して目的を達成するための要旨は、回転軸に破砕用ローターを設けた若しくは撹拌羽を植設したローターと、このローターの軸端部にモータ回転軸を減速機を介して直結された駆動モータと、前記ローターの一部と前記駆動モータとを囲堯するハウジングとで一体化されたことである。
また、前記ハウジングの側壁には、破砕・混練用ローターユニットを併設するときに隣接して当接する箇所に、一方向の移動のみを可能にして互いに係合する係止部材が設けられていることを含むものである。
【０００６】
本発明に係る破砕用バケットの要旨は、バケットの内部に、回転軸に破砕用ローターを設けたローターとこのローターの軸端部にモータ回転軸を減速機を介して直結された駆動モータと、前記ローターの一部と前記駆動モータとを囲堯するハウジングとで一体化された破砕用ローターユニットを、一以上で着脱自在に併設して成ることである。
【発明の効果】
【０００７】
本発明の破砕・混練用ローターユニットとそれを有する破砕用バケットによれば、破砕・混練用ローターユニットを１軸、２軸、３軸…と所望の数だけ併設することで、多軸用破砕機を形成することが容易にできる。
更に、ハウジング同士で密着嵌合するように、係止部材を設けるので、セットしやすくなる。
このような破砕・混練用ローターユニットをバケットの底部に設ければ、バケットでコンクリート塊を掬い上げて、そのまま、このバケットでコンクリート塊を粉砕することができる。クローラ付きの作業機で行えば、移動自在にして粉砕作業が出来るようになり、コンクリート塊などの粉砕作業能率が向上する。また、バケットに破砕・混練用ローターユニットを複数セットすることが容易となり、多軸ロータの破砕機付きバケットが容易に形成される。
【発明を実施するための最良の形態】
【０００８】
本発明に係る破砕・混練用ローターユニット１は、図１に示すように、回転軸２に破砕用ローター（円筒体）３ａを支持して成る破砕ローター４、若しくは、図３に示すように、撹拌羽３ｂを植設した撹拌ローター４ａと、このローター４，４ａの軸端部４ｂにモータ回転軸５ａを減速機５ｂを介して直結された駆動モータ５と、前記ローター４，４ａの一部と前記駆動モータ５とを囲堯するハウジング６とで一体化されたものである。なお、駆動モータ５は、例えば、油圧モータ、電動モータ等である。
【０００９】
前記ハウジング６の側壁６ａには、破砕・混練用ローターユニット１，１…を併設するときに隣接して当接する箇所に、一方向の移動のみを可能にして互いに係合する係止部材（繋ぎ止めるような凹凸）が設けられている。一方向の移動を可能にすることで、破砕ローター４または撹拌ローター４ａ同士の間隙を調節することが可能となり、粉砕できない硬物がローター間に挟まったときに、破損しないように自動的に破砕ローター４若しくは撹拌ローター４ａを逃がすことが可能となる。
【００１０】
このような破砕・混練用ローターユニット１を使用すれば、例えば、図２に示すように、破砕用ローター３ａにしてコンクリート塊を粉砕する破砕機を形成できて、一方、図３に示すように、撹拌羽３ｂを備えた場合には、コンクリートや泥などのミキサーに使用できる。
【００１１】
前記破砕・混練用ローターユニット１を使用した、掘削爪８付きのバケット７を取付部１０を介してアームに取り付けた作業機を形成するには、図２に示すように、バケット７の内部に、回転軸に破砕ローター３ａを設けたローター４と、このローターの軸端部にモータ回転軸を減速機を介して直結された駆動モータ５と、前記ローター４の一部と前記駆動モータ５とを囲堯するハウジング６とで一体化された破砕用ローターユニット１を、例えば、一又は二以上で着脱自在に併設して形成するものである。
【００１２】
前記バケット７には、その後方に、スプリングケース９が設けられている。これは、前記破砕・混練用ローターユニット１，１間に、破砕できない硬物が挟まったときに、自動的に片方の破砕・混練用ローターユニット１を一方向に逃すためのものである。このおゆな作業機で機動的にコンクリート塊を破砕することができる。
【図面の簡単な説明】
【００１３】
【図１】本発明に係る破砕・混練用ローターユニット１の平面図（Ａ）、側面図（Ｂ）である。
【図２】同本発明の破砕用バケット７の平面図（Ａ）、バケット内部を示す側面図である。
【図３】撹拌ローター４ａを備えた場合の破砕・混練用ローターユニット１の平面図（Ａ）、側面図（Ｂ）である。
【符号の説明】
【００１４】
１          破砕・混練用ローターユニット、
２          回転軸、
３ａ        破砕用ローター、                    ３ｂ          撹拌羽、
４          破砕ローター、                      ４ａ          撹拌ローター、
４ｂ        軸端部、
５          駆動モータ、
６          ハウジング、
７          バケット、
８          掘削爪、
９          スプリングケース、
１０        取付部。
【図１】
2009248012.tif 000003
【図２】
2009248012.tif 000004
【図３】
2009248012.tif 000005